(57)【要約】  第１データの送信用として割り当てられた第１無線リソース以外の無線リソースを、前記第１データ以外の第２データの送信用の第２無線リソースとして割り当てる制御部と、前記第２無線リソースに関する情報を含む無線リソース情報を端末装置に通知する通知部と、を有する。
2020202301.tif 000002
【特許請求の範囲】
【請求項１】
第１データの送信用として割り当てられた第１無線リソース以外の無線リソースを、前記第１データ以外の第２データの送信用の第２無線リソースとして割り当てる制御部と、
前記第２無線リソースに関する情報を含む無線リソース情報を端末装置に通知する通知部と、を有する
基地局装置。
【請求項２】
前記制御部は、前記第１無線リソース以外の無線リソースを前記第1無線リソースと同じ周波数領域内に割り当てる
請求項１に記載の基地局装置。
【請求項３】
前記制御部は、前記端末装置から前記第２データを送信する無線リソースの割り当てを要求されたとき、前記第２無線リソースを適用するか否かを判定し、
前記通知は、前記判定した結果を前記端末装置に通知する
請求項１記載の基地局装置。
【請求項４】
前記第１データは、ＵＲＬＬＣ（Ultra−Reliable and Low Latency Communication）に対応するデータを含み、前記第２データは、ｅＭＢＢ（Enhanced Mobile BroadBand）に対応するデータを含む
請求項１記載の基地局装置。
【請求項５】
前記第１データと前記第２データは異なる優先度である
請求項１記載の基地局装置。
【請求項６】
前記第１無線リソースは、前記第１データの送信用として割り当てられた、スロット内のＯＦＤＭ（Orthogonal Frequency-Division Multiplexing）シンボルであって、
前記第２無線リソースは、前記第１無線リソースとして割り当てられたＯＦＤＭシンボル以外の、スロット内のＯＦＤＭシンボルである
請求項１記載の基地局装置。
【請求項７】
前記無線リソース情報は、さらに、前記第２無線リソースが適用される、フレーム内のスロット番号に関する情報を含む
請求項６記載の基地局装置。
【請求項８】
前記無線リソース情報は、さらに、前記第２無線リソースが適用される、周波数帯域に関する情報を含む
請求項６記載の基地局装置。
【請求項９】
前記無線リソース情報は、前記第２無線リソースと割り当てられたＯＦＤＭシンボルのスロット内の位置を示す情報である
請求項６記載の基地局装置。
【請求項１０】
基地局装置から、第１データの送信用として割り当てられた第１無線リソース以外の無線リソースであって、前記第１データ以外の第２データの送信用の無線リソースとして割り当てられた第２無線リソースに関する情報を含む無線リソース情報を受信して、記憶する受信部と、
前記記憶する無線リソース情報に含まれる前記第２無線リソースを使用して、前記第２データを送信する送信部と、を有する
端末装置。
【請求項１１】
基地局装置と端末装置を有する通信システムであって、
前記基地局装置は、第１データの送信用として割り当てられた第１無線リソース以外の無線リソースを、前記第１データ以外の第２データの送信用の第２無線リソースとして割り当て、前記第２無線リソースに関する情報を含む無線リソース情報を前記端末装置に通知し、
前記端末装置は、前記通知された無線リソース情報を受信し、記憶し、前記第２データを送信するとき、前記記憶する無線リソース情報に含まれる前記第２無線リソースを使用して送信する
通信システム。
【発明の詳細な説明】
【技術分野】
【０００１】
本発明は、基地局装置、端末装置、及び通信システムに関する。
【背景技術】
【０００２】
現在の通信ネットワークは、モバイル端末（スマートフォンやフューチャーホン）のトラフィックが通信ネットワークのリソースの大半を占めている。また、モバイル端末が使用するトラフィックは、今後も拡大していく傾向にある。【０００３】
一方で、通信ネットワークは、ＩｏＴ（Internet of things）サービス（例えば、交通システム、スマートメータ、装置等の監視システム）の展開にあわせて、多様な要求条件を持つサービスに対応することが求められている。そのため、第５世代移動体通信（５Ｇまたは、NR（New Radio））の通信規格では、第４世代移動体通信（４Ｇ）の標準技術（例えば、非特許文献１〜１２）に加えて、さらなる高データ信号レート化、大容量化、低遅延化を実現する技術が求められている。なお、第５世代通信規格については、３ＧＰＰの作業部会（例えば、TSG−RAN WG１、TSG−RAN WG２等）で技術検討が進められており、2017年12月に、初版がリリースされている（非特許文献１３〜４０）。【０００４】
上述した多種多様なサービスに対応するため、5Gにおいては、ｅＭＢＢ（Enhanced Mobile BroadBand）、Ｍａｓｓｉｖｅ  ＭＴＣ（Machine Type Communications)、およびＵＲＬＬＣ（Ultra−Reliable and Low Latency Communication）に分類される多くのユースケースのサポートを想定している。【０００５】
そのなかでも、ＵＲＬＬＣは実現が最も困難なユースケースである。ＵＲＬＬＣが利用されるサービスの種類に応じて無線データ伝送要求特性が異なるが、もっとも厳しい内容のものでは、無線部エラーレート１０−６以下という非常に厳しい超高信頼性の要求がある。超高信頼性を実現する１つの方法として、使用リソース量を増やしてデータに冗長性を持たせる方法がある。しかし、無線リソースは限りがあるので、無制限に使用リソースを増やすことはできない。【０００６】
低遅延に関しても、ＵＲＬＬＣでは、上り回線および下り回線におけるユーザプレーンの無線部遅延を０．５ミリ秒とすることが目標とされている。これは４Ｇ無線システムＬＴＥ（Long Term Evolution）の１／１０未満という高い要求である。【０００７】
ＵＲＬＬＣは、上述したような超高信頼性と低遅延の２つの要求を、同時に満さなければならない。【０００８】
５Ｇに関する技術については、以下の先行技術文献に記載されている。
【先行技術文献】
【非特許文献】
【０００９】
【非特許文献１】3GPP TS 36.133 V15.5.0（2018-12）
【非特許文献２】3GPP TS 36.211 V15.4.0（2018-12）
【非特許文献３】3GPP TS 36.212 V15.4.0（2018-12）
【非特許文献４】3GPP TS 36.213 V15.4.0（2018-12）
【非特許文献５】3GPP TS 36.300 V15.4.0（2018-12）
【非特許文献６】3GPP TS 36.321 V15.4.0（2018-12）
【非特許文献７】3GPP TS 36.322 V15.1.0（2018-07）
【非特許文献８】3GPP TS 36.323 V15.2.0（2018-12）
【非特許文献９】3GPP TS 36.331 V15.4.0（2018-12）
【非特許文献１０】3GPP TS 36.413 V15.4.0（2018-12）
【非特許文献１１】3GPP TS 36.423 V15.4.0（2018-06）
【非特許文献１２】3GPP TS 36.425 V15.0.0（2018-06）
【非特許文献１３】3GPP TS 37.340 V15.4.0（2018-12）
【非特許文献１４】3GPP TS 38.201 V15.0.0（2017-12）
【非特許文献１５】3GPP TS 38.202 V15.4.0（2018-12）
【非特許文献１６】3GPP TS 38.211 V15.4.0（2018-12）
【非特許文献１７】3GPP TS 38.212 V15.4.0（2018-12）
【非特許文献１８】3GPP TS 38.213 V15.4.0（2018-12）
【非特許文献１９】3GPP TS 38.214 V15.4.0（2018-12）
【非特許文献２０】3GPP TS 38.215 V15.4.0（2018-12）
【非特許文献２１】3GPP TS 38.300 V15.4.0（2018-12）
【非特許文献２２】3GPP TS 38.321 V15.4.0（2018-12）
【非特許文献２３】3GPP TS 38.322 V15.4.0（2018-12）
【非特許文献２４】3GPP TS 38.323 V15.4.0（2018-12）
【非特許文献２５】3GPP TS 38.331 V15.4.0（2018-12）
【非特許文献２６】3GPP TS 38.401 V15.4.0（2018-12）
【非特許文献２７】3GPP TS 38.410 V15.2.0（2018-12）
【非特許文献２８】3GPP TS 38.413 V15.2.0（2018-12）
【非特許文献２９】3GPP TS 38.420 V15.2.0（2018-12）
【非特許文献３０】3GPP TS 38.423 V15.2.0（2018-12）
【非特許文献３１】3GPP TS 38.470 V15.4.0（2018-12）
【非特許文献３２】3GPP TS 38.473 V15.4.1（2019-01）
【非特許文献３３】3GPP TR 38.801 V14.0.0（2017-03）
【非特許文献３４】3GPP TR 38.802 V14.2.0（2017-09）
【非特許文献３５】3GPP TR 38.803 V14.2.0（2017-09）
【非特許文献３６】3GPP TR 38.804 V14.0.0（2017-03）
【非特許文献３７】3GPP TR 38.900 V15.0.0（2018-06）
【非特許文献３８】3GPP TR 38.912 V15.0.0（2018-06）
【非特許文献３９】3GPP TR 38.913 V15.0.0（2018-06）
【非特許文献４０】3GPP TS 37.213 V15.1.0（2019-09）
【発明の概要】
【発明が解決しようとする課題】
【００１０】
ＵＲＬＬＣの超低遅延伝送実現のための手段の一つとして、時間長が短い無線リソースを用いる場合がある。ＵＲＬＬＣは、時間長を短くすると、所定量のデータを送信するために、周波数領域での無線リソースのサイズ（周波数幅）を大きくする必要がある。また、ＵＲＬＬＣでは、高信頼伝送も満たすため、符号化率を下げる、例えば、十分な量の誤り訂正用パリティ信号の付加を行う場合があり、サイズは更に大きくなる。【００１１】
すなわち、ＵＲＬＬＣデータを送信する無線リソースは、時間長が短いが周波数帯域が広い無線リソースとなる場合がある。例えば、ＵＲＬＬＣデータの送信無線リソースが、無線リソースの割り当て単位（例えばスロット）に満たない場合、ＵＲＬＬＣデータの送信に使用しない無線リソースの領域を効率的に使用できない場合がある。【００１２】
そこで、一つの側面では、無線リソースを効率的に使用することができる基地局装置、端末装置、及び通信システムを提供する。
【課題を解決するための手段】
【００１３】
第１データの送信用として割り当てられた第１無線リソース以外の無線リソースを、前記第１データ以外の第２データの送信用の第２無線リソースとして割り当てる制御部と、前記第２無線リソースに関する情報を含む無線リソース情報を端末装置に通知する通知部と、を有する。
【発明の効果】
【００１４】
一つの側面では、無線リソースを効率的に使用することができる。
【図面の簡単な説明】
【００１５】
【図１】図１は、通信システム１０の構成例を示す図である。
【図２】図２は、ＵＲＬＬＣ無線リソースの例を示す図である。
【図３】図３は、基地局装置２００の構成例を示す図である。
【図４】図４は、端末装置１００の構成例を示す図である。
【図５】図５は、データを送信するシーケンスの例を示す図である。
【図６】図６は、ＯＦＤＭシンボルとスロットの関係の例を示す図である。
【図７】図７は、シンボルパターンの例を示す図である。
【図８】図８は、データを送信するシーケンスの例を示す図である。
【図９】図９は、シンボルパターン１及びシンボルパターン２の例を示す図である。
【図１０】図１０は、複数ＯＦＤＭシンボルに対応するシンボルパターンの例を示す図である。
【図１１】図１１は、データを送信するシーケンスの例を示す図である。
【図１２】図１２は、スロットとフレームの関係の例を示す図である。
【図１３】図１３は、シンボルパターン適用スロットパターンの例を示す図である。
【図１４】図１４は、データを送信するシーケンスの例を示す図である。
【図１５】図１５は、ＯＦＤＭシンボルと周波数帯域の関係の例を示す図である。
【図１６】図１６は、シンボルパターン適用周波数帯域パターンの例を示す図である。
【発明を実施するための形態】
【００１６】
以下、本実施の形態について図面を参照して詳細に説明する。本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。
【００１７】
［第１の実施の形態］
第１の実施の形態について説明する。
【００１８】
＜無線通信システムの構成例＞
図１は、通信システム１０の構成例を示す図である。通信システム１０は、端末装置１００−１,２（以下、端末装置１００と呼ぶ場合がある）及び基地局装置２００を有する。通信システム１０は、例えば、５Ｇに準拠した無線通信を行う無線通信システムである。この場合、基地局装置２００は、例えば、ｇＮｏｄｅＢである。また、端末装置１００は、基地局装置２００と、あるいは基地局装置２００を介して他の通信装置と通信を行う装置であって、例えば、スマートフォンやタブレット端末などの移動体通信端末である。
【００１９】
通信システム１０において、基地局装置２００及び端末装置１００は、低遅延、高信頼のデータを、ＵＲＬＬＣデータ（第１データ）として送受信する。通信システム１０において、端末装置１００は、ＵＲＬＬＣデータを送信するための無線リソース（ＵＲＬＬＣ無線リソース）を使用して、ＵＲＬＬＣデータを送信する。ＵＲＬＬＣ無線リソースは、例えば、基地局装置２００によって割り当てられ、端末装置１００に通知される。
【００２０】
図２は、ＵＲＬＬＣ無線リソースの例を示す図である。ＵＲＬＬＣデータＤ１は、例えば、端末装置１００−１が使用するＵＲＬＬＣ無線リソースであり、ＵＲＬＬＣデータＤ２は、例えば、端末装置１００−２が使用するＵＲＬＬＣ無線リソースである。また、データＤ１１〜Ｄ１３は、ＵＲＬＬＣ無線リソース以外の無線リソース（第２データ）であって、例えば、ｅＭＢＢのデータを送信するための無線リソースである。なお、第２データは、第１データよりも優先度が低い他の種類のＵＲＬＬＣデータであってもよい。
【００２１】
基地局装置２００は、ＵＲＬＬＣ無線リソースとして、低遅延の要求を満たすために、他のデータＤ１１〜Ｄ１３と比較して、時間長が短い無線リソースを割り当てる。図２に示すように、ＵＲＬＬＣデータＤ１及びＤ２は、それぞれ１スロットより短い時間長の無線リソースである。
【００２２】
スロットは、例えば、無線リソースの割り当て単位である。１スロットは、複数のＯＦＤＭ（Orthogonal Frequency-Division Multiplexing）シンボルで構成され、例えば、１４個のＯＦＤＭシンボルで構成される。ＯＦＤＭシンボルは、スロットよりも小さい無線リソースの単位であり、例えば、ＩＦＦＴ（Inverse Fast Fourier Transform）により生成される単位である。ＵＲＬＬＣ無線リソースは、例えば、１個又は２個のＯＦＤＭシンボルで構成される。なお、ＵＲＬＬＣ無線リソースは、３個以上のＯＦＤＭシンボルで構成されてもよい。
【００２３】
また、基地局装置２００は、ＵＲＬＬＣ無線リソースとして、高信頼の要求を満たすために、他のデータＤ１１〜Ｄ１３と比較して、周波数帯域が広い無線リソースを割り当てる。図２に示すように、ＵＲＬＬＣデータＤ１及びＤ２は、それぞれ他のデータＤ１１〜１３よりも広い周波数帯域の無線リソースである。
【００２４】
例えば、基地局装置２００が端末装置１００に対してスロット単位で無線リソースの割り当てを行う場合、図２における網掛け部分の無線リソースＲ１〜Ｒ３は、端末装置１００が使用しない無線リソースとなってしまい、無線リソースの効率的な使用ができない。そこで、第１の実施の形態において、基地局装置２００は、無線リソースＲ１〜Ｒ３を、ＵＲＬＬＣデータ以外のデータ（ｅＭＢＢデータ）を送信する無線リソースとして、端末装置１００に割り当てる。
【００２５】
＜基地局装置の構成例＞
図３は、基地局装置２００の構成例を示す図である。基地局装置２００は、例えば、５ＧにおけるｇＮｏｄｅＢである。基地局装置２００は、ＣＰＵ（Central Processing Unit）２１０、ストレージ２２０、ＤＲＡＭ（Dynamic Random Access Memory）などのメモリ２３０、ＮＩＣ（Network Interface Card）２４０、及びＲＦ（Radio Frequency）回路２５０を有する。基地局装置２００は、例えば、端末装置１００と無線接続し、端末装置１００とデータを送受信する。また、基地局装置２００は、端末装置１００から受信したデータを送信先の通信装置またはネットワークに送信したり、他の通信装置やネットワークから受信したデータを端末装置１００に送信したりする、端末装置１００が実施する通信の中継装置である。
【００２６】
ストレージ２２０は、プログラムやデータを記憶する、フラッシュメモリ、ＨＤＤ（Hard Disk Drive）、又はＳＳＤ（Solid State Drive）などの補助記憶装置である。ストレージ２２０は、通信制御プログラム２２１、及び無線リソース制御プログラム２２２を記憶する。
【００２７】
メモリ２３０は、ストレージ２２０に記憶されているプログラムをロードする領域である。また、メモリ２３０は、プログラムがデータを記憶する領域としても使用される。
【００２８】
ＮＩＣ２４０は、インターネットやイントラネットなどのネットワーク（図示しない）と接続するネットワークインターフェースである。基地局装置２００は、ＮＩＣ２４０を介して、ネットワークに接続する通信装置と通信する。
【００２９】
ＲＦ回路２５０は、端末装置１００と無線接続する装置である。ＲＦ回路２５０は、例えば、アンテナ２５１を有する。
【００３０】
ＣＰＵ２１０は、ストレージ２２０に記憶されているプログラムを、メモリ２３０にロードし、ロードしたプログラムを実行し、各処理を実現するプロセッサ又はコンピュータである。
【００３１】
ＣＰＵ２１０は、通信制御プログラム２２１を実行することで、通信制御処理を行う。通信制御処理は、端末装置１００との間の無線通信を制御する処理である。
【００３２】
ＣＰＵ２１０は、無線リソース制御プログラム２２２を実行することで、制御部及び通信部を構築し、無線リソース制御処理を行う。無線リソース制御処理は、無線リソースを制御する処理で、端末装置１００がＵＲＬＬＣデータ以外のデータを送信するときに使用する無線リソースを、端末装置１００に割り当てたり、端末装置１００に通知したりする処理である。
【００３３】
ＣＰＵ２１０は、ＯＦＤＭシンボル情報通知モジュール２２２１を実行することで、制御部及び通信部を構築し、ＯＦＤＭシンボル情報通知処理を行う。ＯＦＤＭシンボル情報通知処理は、端末装置１００がＵＲＬＬＣデータ以外のデータを送信するときに使用することを許可する無線リソースに関する情報を通知する処理である。
【００３４】
ＣＰＵ２１０は、シンボルパターン適用判定モジュール２２２２を実行することで、制御部及び通信部を構築し、シンボルパターン適用判定処理を行う。シンボルパターン適用判定処理は、端末装置１００がＵＲＬＬＣデータ以外のデータを送信するときに送信する無線リソースの割り当て要求メッセージに対して、事前に通知しているシンボルパターンを適用するか否かを示す情報を通知する処理である。シンボルパターンについては後述する。
【００３５】
＜端末装置の構成例＞
図４は、端末装置１００の構成例を示す図である。端末装置１００は、例えば、基地局装置２００と無線通信を行う、携帯端末装置である。端末装置１００は、ＣＰＵ１１０、ストレージ１２０、ＤＲＡＭなどのメモリ１３０、及びＲＦ回路１５０を有する。端末装置１００は、例えば、基地局装置２００と無線接続し、基地局装置２００とデータを送受信する通信装置である。
【００３６】
ストレージ１２０は、プログラムやデータを記憶する、フラッシュメモリ、ＨＤＤ、又はＳＳＤなどの補助記憶装置である。ストレージ１２０は、通信プログラム１２１、ＯＦＤＭシンボル情報通知受信プログラム１２２、及びデータ送信プログラム１２３を記憶する。
【００３７】
メモリ１３０は、ストレージ１２０に記憶されているプログラムをロードする領域である。また、メモリ１３０は、プログラムがデータを記憶する領域としても使用される。
【００３８】
ＲＦ回路１５０は、基地局装置２００と無線接続する装置である。ＲＦ回路１５０は、例えば、アンテナ１５１を有する。
【００３９】
ＣＰＵ１１０は、ストレージ１２０に記憶されているプログラムを、メモリ１３０にロードし、ロードしたプログラムを実行し、各処理を実現するプロセッサ又はコンピュータである。
【００４０】
ＣＰＵ１１０は、通信プログラム１２１を実行することで、通信処理を行う。通信処理は、基地局装置２００との間の無線通信を行う処理である。
【００４１】
ＣＰＵ１１０は、ＯＦＤＭシンボル情報通知受信プログラム１２２を実行することで、受信部を構築し、ＯＦＤＭシンボル情報通知受信を行う。ＯＦＤＭシンボル情報通知受信処理は、基地局装置２００からＯＦＤＭシンボル情報通知を受信し、シンボルパターン等の情報を記憶する処理である。
【００４２】
ＣＰＵ１１０は、データ送信プログラム１２３を実行することで、送信部を構築し、データ送信処理を行う。データ送信処理は、データを送信する処理であり、ＵＲＬＬＣデータ以外のデータを送信する場合、記憶するシンボルパターンを適用するか否かを判定する処理である。
【００４３】
＜データ送信シーケンス＞
以下に、ＵＲＬＬＣデータ以外のデータ（例えばｅＭＭＢデータ）送信時のシーケンスについて説明する。
【００４４】
図５は、データを送信するシーケンスの例を示す図である。基地局装置２００は、ＯＦＤＭシンボル情報通知を、端末装置１００に送信する（Ｓ１００）。ＯＦＤＭシンボル情報通知は、例えば、ＲＲＣ（Radio Resource Control）シグナリングで通知される。ＯＦＤＭシンボル情報通知は、シンボルパターンを含む。シンボルパターンは、ＵＲＬＬＣ以外のデータを送信することができるＯＦＤＭシンボルの位置パターンを示す情報である。
【００４５】
図６は、ＯＦＤＭシンボルとスロットの関係の例を示す図である。ＯＦＤＭシンボルは、周波数帯域及び時間で区分された無線リソースである。１スロットは、例えば、１４個のＯＦＤＭシンボルで構成される。１スロット内のＯＦＤＭシンボルは、時間が古い方から順に１〜１４までの番号ｘ（ｘは整数）を付し、ＯＦＤＭｘと表現する。
【００４６】
図７は、シンボルパターンの例を示す図である。以下、ビット番号ｙ（ｙは整数）のビットをビットｙと表現する場合がある。  
【００４７】
シンボルパターンの各ビットは、それぞれＯＦＤＭシンボルと対応する。そして、シンボルパターンは、ＵＲＬＬＣデータ以外のデータの送信が許可されたＯＦＤＭシンボルに対応するビットをＯＮ（例えば１）、それ以外をＯＦＦ（例えば０）で示す。よって、シンボルパターンは、例えば、１スロットを構成するＯＦＤＭシンボルの数で構成され、図６に示すように１スロットが１４個のＯＦＤＭシンボルで構成される場合、１４ビットで構成される。ビットがＯＮ（例えば１）である場合、当該ビットに対応するＯＦＤＭシンボルは、ＵＲＬＬＣデータ以外のデータの送信に使用してもよいことを示す。一方、ビットがＯＦＦ（例えば０）である場合、当該ビットに対応するＯＦＤＭシンボルは、ＵＲＬＬＣデータ以外のデータの送信に使用できない、すなわち、ＵＲＬＬＣデータの送信用として割り当てられている無線リソースであることを示す。
【００４８】
図７においては、ビット２、３、４、５、８、９、１０、及び１１が１（ＯＮ）であって、その他のビットが０（ＯＦＦ）である。すなわち、図７におけるシンボルパターンは、ＯＦＤＭシンボル２〜５及び８〜１１が、ＵＲＬＬＣデータ以外のデータの送信が許可されているシンボルであることを示す。
【００４９】
図５に戻り、端末装置１００は、ＯＦＤＭシンボル情報通知を受信すると（Ｓ１００）、シンボルパターンを記憶する。
【００５０】
そして、端末装置１００は、ＵＲＬＬＣデータ以外の送信データが発生した時、ＳＲ（Scheduling Request）を基地局装置２００に送信する（Ｓ１０１）。ＳＲは、データを送信する無線リソースの割り当てを要求する無線リソース要求メッセージである。
【００５１】
基地局装置２００は、ＳＲを受信すると（Ｓ１０１）、端末装置１００に無線リソースを割り当て、ＵＬ grantを端末装置１００に送信する（Ｓ１０２）。ＵＬ grantは、ＳＲに応答するメッセージで、端末装置１００に対して割り当てた無線リソースに関する情報が含まれる。
【００５２】
また、ＵＬ grantは、シンボルパターンフラグが含まれる。シンボルパターンフラグは、例えば、１ビットのフラグである。シンボルパターンフラグは、ＯＦＤＭシンボル情報通知で指定されたシンボルパターンを適用するか否かを示すフラグである。例えば、シンボルパターンフラグがＯＮ（例えば１）である場合、端末装置１００は、シンボルパターンを適用し、シンボルパターンでＵＲＬＬＣデータ以外のデータの送信が許可されたＯＦＤＭシンボルを使用して、データを送信する。一方、例えば、シンボルパターンフラグがＯＦＦ（例えば０）である場合、端末装置１００は、シンボルパターンを適用せず、割り当てられた無線リソース（スロット）の全ＯＦＤＭシンボルを使用して、データを送信する。
【００５３】
基地局装置２００は、シンボルパターンフラグがＯＦＦであることを含む、ＵＬ grantを端末装置１００に送信する（Ｓ１０２）。
【００５４】
端末装置１００は、シンボルパターンフラグがＯＦＦであるＵＬ grantを受信すると（Ｓ１０２）、記憶しているシンボルパターンを適用せず、割り当てられたスロットの全ＯＦＤＭシンボルを使用して、データを送信する（Ｓ１０３）。  
【００５５】
また、端末装置１００は、ＵＲＬＬＣデータ以外の送信データが発生した時、ＳＲを基地局装置２００に送信する（Ｓ１０４）。
【００５６】
基地局装置２００は、ＳＲを受信すると（Ｓ１０４）、端末装置１００に無線リソースを割り当て、ＵＬ grantを端末装置１００に送信する（Ｓ１０５）。基地局装置２００は、シンボルパターンフラグがＯＮであることを含め、ＵＬ grantを端末装置１００に送信する（Ｓ１０５）。
【００５７】
端末装置１００は、シンボルパターンがＯＮであるＵＬ grantを受信すると（Ｓ１０５）、記憶しているシンボルパターンを適用し、割り当てられたスロットのＯＦＤＭシンボルの内、記憶するシンボルパターンでＵＲＬＬＣデータ以外のデータの送信が許可されたＯＦＤＭシンボルを使用して、データを送信する（Ｓ１０６）。記憶するシンボルパターンが、例えば図７のシンボルパターンである場合、端末装置１００は、ＯＦＤＭシンボル２〜５及び８〜１１を使用し、データを送信する（Ｓ１０６）。
【００５８】
第１の実施の形態において、基地局装置２００は、シンボルパターンでＵＲＬＬＣデータ以外のデータを送信することができるＯＦＤＭシンボルを、端末装置１００に通知することができる。これにより、ＵＲＬＬＣデータ用無線リソース（ＯＦＤＭシンボル）が存在するスロットの他の無線リソースを有効に使用することができる。
【００５９】
さらに、基地局装置２００は、無線リソースの割り当て時に、シンボルパターンフラグを使用し、シンボルパターンの適用又は非適用を端末装置１００に通知する。これにより、例えば、ＵＲＬＬＣデータが送信されない時はシンボルパターンを非適用にするなど、柔軟に無線リソースの使用ができ、無線リソースをより有効に使用することができる。
【００６０】
＜第１の実施の形態の変形例１＞
第１の実施の形態の変形例１について説明する。第１の実施の形態の変形例１において、基地局装置２００は、シンボルパターンを複数パターン（変形例１においては２パターン）用意する。そして、基地局装置２００は、シンボルパターンを適用するか否か、また、適用する場合はいずれのシンボルパターンを適用するかを、端末装置１００に通知する。
【００６１】
＜データ送信シーケンス＞
図８は、データを送信するシーケンスの例を示す図である。基地局装置２００は、ＯＦＤＭシンボル情報通知を、端末装置１００に送信する（Ｓ２００）。ＯＦＤＭシンボル情報通知は、２つのシンボルパターン（シンボルパターン１及びシンボルパターン２）を含む。
【００６２】
図９は、シンボルパターン１及びシンボルパターン２の例を示す図である。シンボルパターン１は、ビット２、３、４、５、８、９、１０、及び１１が１（ＯＮ）であって、その他のビットが０（ＯＦＦ）である。すなわち、シンボルパターン１は、ＯＦＤＭシンボル２〜５及び８〜１１が、ＵＲＬＬＣデータ以外のデータの送信が許可されているシンボルであることを示す。
【００６３】
一方、シンボルパターン２は、ビット３、４、１０、及び１１が１（ＯＮ）であって、その他のビットが０（ＯＦＦ）である。すなわち、シンボルパターン１は、ＯＦＤＭシンボル３、４、１０、及び１１が、ＵＲＬＬＣデータ以外のデータの送信が許可されているシンボルであることを示す。
【００６４】
図８に戻り、端末装置１００は、ＯＦＤＭシンボル情報通知を受信すると（Ｓ２００）、シンボルパターン１及びシンボルパターン２を記憶する。
【００６５】
そして、端末装置１００は、ＵＲＬＬＣデータ以外の送信データが発生した時、ＳＲを基地局装置２００に送信する（Ｓ２０１）。
【００６６】
基地局装置２００は、ＳＲを受信すると（Ｓ２０１）、端末装置１００に無線リソースを割り当て、ＵＬ grantを端末装置１００に送信する（Ｓ２０２）。ＵＬ grantは、シンボルパターンフラグが含まれる。
【００６７】
変形例において、シンボルパターンフラグは、例えば、２ビットのフラグである。シンボルパターンフラグは、ＯＦＤＭシンボル情報通知で指定されたシンボルパターンを適用するか否か、また、適用する場合はどのシンボルパターンを適用するか、を示すフラグである。例えば、シンボルパターンフラグがＯＦＦ（例えば０）である場合、端末装置１００は、シンボルパターンを適用せず、割り当てられた無線リソース（スロット）の全ＯＦＤＭシンボルを使用して、データを送信する。一方、シンボルパターンフラグは、ＯＦＦ以外である場合、適用するシンボルパターンに関する情報を示す。例えば、シンボルパターンフラグが１（０ｘ０１）である場合、シンボルパターン１を適用し、シンボルパターンフラグが２（０ｘ１０）である場合、シンボルパターン２を適用することを示す。
【００６８】
基地局装置２００は、シンボルパターンを適用させるか否かを判定し、判定結果をシンボルパターンフラグとして、端末装置１００に送信する。この場合、基地局装置２００は、シンボルパターンフラグがＯＦＦであることを含む、ＵＬ grantを端末装置１００に送信する（Ｓ２０２）。端末装置１００は、シンボルパターンフラグがＯＦＦであるＵＬ grantを受信すると（Ｓ２０２）、記憶しているシンボルパターンを適用せず、割り当てられたスロットの全ＯＦＤＭシンボルを使用して、データを送信する（Ｓ２０３）。  
【００６９】
また、端末装置１００は、ＵＲＬＬＣデータ以外の送信データが発生した時、ＳＲを基地局装置２００に送信する（Ｓ２０４）。
【００７０】
基地局装置２００は、ＳＲを受信すると（Ｓ２０４）、端末装置１００に無線リソースを割り当て、ＵＬ grantを端末装置１００に送信する（Ｓ２０５）。基地局装置２００は、シンボルパターンフラグが１（０ｘ０１）であることを含め、ＵＬ grantを端末装置１００に送信する（Ｓ２０５）。
【００７１】
端末装置１００は、シンボルパターンが１であるＵＬ grantを受信すると（Ｓ２０５）、記憶しているシンボルパターン１を適用し、割り当てられたスロットのＯＦＤＭシンボルの内、記憶するシンボルパターン１でＵＲＬＬＣデータ以外のデータの送信が許可されたＯＦＤＭシンボルを使用して、データを送信する（Ｓ２０６）。記憶するシンボルパターンが、例えば図９のシンボルパターン１である場合、端末装置１００は、ＯＦＤＭシンボル２〜５及び８〜１１を使用し、データを送信する（Ｓ２０６）。
【００７２】
さらに、端末装置１００は、ＵＲＬＬＣデータ以外の送信データが発生した時、ＳＲを基地局装置２００に送信する（Ｓ２０７）。
【００７３】
基地局装置２００は、ＳＲを受信すると（Ｓ２０７）、端末装置１００に無線リソースを割り当て、ＵＬ grantを端末装置１００に送信する（Ｓ２０８）。基地局装置２００は、シンボルパターンフラグが２（０ｘ１０）であることを含め、ＵＬ grantを端末装置１００に送信する（Ｓ２０８）。
【００７４】
端末装置１００は、シンボルパターンが２であるＵＬ grantを受信すると（Ｓ２０８）、記憶しているシンボルパターン２を適用し、割り当てられたスロットのＯＦＤＭシンボルの内、記憶するシンボルパターン２でＵＲＬＬＣデータ以外のデータの送信が許可されたＯＦＤＭシンボルを使用して、データを送信する（Ｓ２０９）。記憶するシンボルパターン２が、例えば図９のシンボルパターン２である場合、端末装置１００は、ＯＦＤＭシンボル２、３、１０、及び１１を使用し、データを送信する（Ｓ２０９）。
【００７５】
第１の実施の形態の変形例１において、基地局装置２００は、シンボルパターンを複数用意する。これにより、基地局装置２００は、複数のシンボルパターンを使い分けることで、より柔軟性のある無線リソースの割り当てが可能となり、無線リソースの使用効率が向上する。
【００７６】
＜第１の実施の形態の変形例２＞
また、第１の実施の形態の変形例２について説明する。第１の実施の形態の変形例２では、シンボルパターンのビット数を減少させる。例えば、ＵＲＬＬＣデータは、２つや３つなど、複数の連続したＯＦＤＭシンボルを使用して送信されることが多い。そのため、複数のＯＦＤＭシンボルを、シンボルパターンの１ビットに対応させることで、シンボルパターンのビット数を減少させることができる。
【００７７】
図１０は、複数ＯＦＤＭシンボルに対応するシンボルパターンの例を示す図である。図１０のシンボルパターンは、２つのＯＦＤＭシンボルを１つのビットに対応させている。例えば、ＯＦＤＭシンボル１及び２は、シンボルパターンのビット１に対応する。ビット１がＯＮ（１）である場合、ＯＦＤＭシンボル１及び２は、ＵＲＬＬＣデータ以外のデータの送信が許可されたシンボルであることを示す。一方、ビット１がＯＦＦ（０）である場合、ＯＦＤＭシンボル１及び２は、ＵＲＬＬＣデータが送信されるため、ＵＲＬＬＣデータ以外のデータの送信が許可されていないシンボルであることを示す。
【００７８】
図１０におけるシンボルパターンは、ビット２及び５がＯＮである。よって、図１０におけるシンボルパターンは、ビット２に対応するＯＦＤＭシンボル３、４、及びビット５に対応するＯＦＤＭシンボル９、１０を使用して、ＵＲＬＬＣデータ以外のデータを送信してもよいことを示す。
【００７９】
［第２の実施の形態］
次に第２の実施の形態について説明する。第２の実施の形態において、基地局装置２００は、スロットごとにシンボルパターンを適用するか否かを決定し、端末装置１００に通知する。
【００８０】
＜データ送信シーケンス＞
図１１は、データを送信するシーケンスの例を示す図である。基地局装置２００は、ＯＦＤＭシンボル情報通知を、端末装置１００に送信する（Ｓ３００）。ＯＦＤＭシンボル情報通知は、シンボルパターン及びシンボルパターン適用スロットパターンに関する情報を含む。
【００８１】
図１２は、スロットとフレームの関係の例を示す図である。フレームは、例えば、連続する複数のスロットで構成される無線リソースの単位である。１フレームを構成するスロットの数は、例えば、サブキャリア間隔で決まる場合がある。図１２においては、１フレームは１０スロットで構成される。以下、１フレーム内のスロットは、古い方から順に番号ｎ（ｎは１以上の整数）を付され、スロットｎと表現される場合がある。
【００８２】
図１３は、シンボルパターン適用スロットパターンの例を示す図である。シンボルパターン適用スロットパターンの各ビットは、それぞれフレーム内のスロット番号に対応する。そして、シンボルパターン適用スロットパターンは、シンボルパターンを適用するスロット番号に対応するビットをＯＮ（例えば１）、それ以外をＯＦＦ（例えば０）で示す。よって、シンボルパターン適用スロットパターンは、例えば、１フレームを構成するスロットの数のビットで構成され、図１２に示すように１フレームが１０スロットで構成される場合、１０ビットで構成される。端末装置１００は、ビットがＯＮ（例えば１）である場合、当該ビットに対応するスロット番号のスロットを使用してデータを送信するとき、シンボルパターンを適用し、シンボルパターンで許可されたＯＦＤＭシンボルを使用してデータを送信する。一方、端末装置１００は、ビットがＯＦＦ（例えば０）である場合、当該ビットに対応するスロット番号のスロットを使用してデータを送信するとき、シンボルパターンを適用せず、スロット内の全ＯＦＤＭシンボルを使用してデータを送信する。
【００８３】
図１３においては、シンボルパターン適用スロットパターンは、ビット２及び５が１（ＯＮ）であって、その他のビットが０（ＯＦＦ）である。すなわち、シンボルパターン適用スロットパターンは、各フレームのスロット２及び５を使用してデータを送信するときは、シンボルパターンを適用しなければならないことを示す。
【００８４】
図１１に戻り、端末装置１００は、ＯＦＤＭシンボル情報通知を受信すると（Ｓ３００）、シンボルパターン及びシンボルパターン適用スロットパターンを記憶する。
【００８５】
そして、端末装置１００は、ＵＲＬＬＣデータ以外の送信データが発生した時、ＳＲを基地局装置２００に送信する（Ｓ３０１）。
【００８６】
基地局装置２００は、ＳＲを受信すると（Ｓ３０１）、端末装置１００に無線リソースを割り当て、ＵＬ grantを端末装置１００に送信する（Ｓ３０２）。ＵＬ grantは、端末装置１００に割り当てた無線リソースの情報を含む。無線リソースの情報は、例えば、端末装置１００がデータ（ＵＲＬＬＣデータ以外）送信に使用することが許可されたスロットに関する情報も含む。基地局装置２００は、例えば、シンボルパターンを適用しないスロットＮ（Ｎは整数）を端末装置１００に割り当て、ＵＬ grantで端末装置１００に通知する（Ｓ３０２）。
【００８７】
端末装置１００は、ＵＬ grantを受信し（Ｓ３０２）、スロットＮが割り当てられたことを認識する。端末装置１００は、記憶するシンボルパターン適用スロットパターンを参照し、スロットＮがシンボルパターン適用スロットか否かを確認する。端末装置１００は、スロットＮがシンボルパターンを適用しないスロットであることを認識し、スロットＮの全ＯＦＤＭシンボルを使用して、データを送信する（Ｓ３０３）。
【００８８】
また、端末装置１００は、ＵＲＬＬＣデータ以外の送信データが発生した時、ＳＲを基地局装置２００に送信する（Ｓ３０４）。
【００８９】
基地局装置２００は、ＳＲを受信すると（Ｓ３０５）、端末装置１００に無線リソースを割り当て、ＵＬ grantを端末装置１００に送信する（Ｓ３０５）。基地局装置２００は、例えば、シンボルパターンを適用するスロットＭ（Ｍは整数）を端末装置１００に割り当て、ＵＬ grantで端末装置１００に通知する（Ｓ３０５）。
【００９０】
端末装置１００は、ＵＬ grantを受信し（Ｓ３０５）、スロットＭが割り当てられたことを認識する。端末装置１００は、記憶するシンボルパターン適用スロットパターンを参照し、スロットＭがシンボルパターン適用スロットか否かを確認する。端末装置１００は、スロットＭがシンボルパターンを適用するスロットであることを認識し、スロットＭのシンボルパターンでＵＲＬＬＣデータ以外のデータの送信が許可されたＯＦＤＭシンボルを使用して、データを送信する（Ｓ３０６）。
【００９１】
第２の実施の形態において、基地局装置２００は、シンボルパターンに加え、さらにシンボルパターン適用スロットパターンを、端末装置１００に通知する。これにより、基地局装置２００は、スロットごとにシンボルパターンの適用または非適用を設定でき、より柔軟に無線リソースを割り当てることができる。
【００９２】
［第３の実施の形態］
次に第３の実施の形態について説明する。第３の実施の形態において、基地局装置２００は、シンボルパターンに加え、さらに、周波数帯域パターンを端末装置１００に通知する。
【００９３】
＜データ送信シーケンス＞
図１４は、データを送信するシーケンスの例を示す図である。基地局装置２００は、ＯＦＤＭシンボル情報通知を、端末装置１００に送信する（Ｓ４００）。ＯＦＤＭシンボル情報通知は、シンボルパターン及びシンボルパターン適用周波数帯域パターンに関する情報を含む。
【００９４】
図１５は、ＯＦＤＭシンボルと周波数帯域の関係の例を示す図である。基地局装置２００は、端末装置１００に割り当てる無線リソースを、複数の周波数帯域に分割する。図１５において、基地局装置２００は、６つの周波数帯域に分割している。周波数帯域は、周波数が低いほうから順に番号ｚ（ｚは整数）を付され、周波数帯域ｚと呼ぶ場合がある。
【００９５】
図１６は、シンボルパターン適用周波数帯域パターンの例を示す図である。シンボルパターン適用周波数帯域パターンの各ビットは、それぞれ周波数帯域の番号に対応する。そして、シンボルパターン適用周波数帯域パターンは、シンボルパターンを適用する周波数帯域に対応するビットをＯＮ（例えば１）、それ以外をＯＦＦ（例えば０）で示す。よって、シンボルパターン適用周波数パターンは、例えば、周波数帯域の分割数のビットで構成され、図１５に示すように周波数帯域を６つに分割する場合、６ビットで構成される。端末装置１００は、ビットがＯＮ（例えば１）である場合、当該ビットに対応する周波数帯域番号の周波数帯域を使用してデータを送信するとき、シンボルパターンを適用し、シンボルパターンで許可されたＯＦＤＭシンボルを使用してデータを送信する。一方、端末装置１００は、ビットがＯＦＦ（例えば０）である場合、当該ビットに対応する周波数帯域番号の周波数帯域を使用してデータを送信するとき、シンボルパターンを適用せず、当該周波数帯域のスロット内の全ＯＦＤＭシンボルを使用してデータを送信する。
【００９６】
図１６においては、シンボルパターン適用周波数帯域パターンは、ビット２及び５が１（ＯＮ）であって、その他のビットが０（ＯＦＦ）である。すなわち、シンボルパターン適用周波数帯域パターンは、周波数帯域２及び５を使用してデータを送信するときは、シンボルパターンを適用しなければならないことを示す。
【００９７】
図１４に戻り、端末装置１００は、ＯＦＤＭシンボル情報通知を受信すると（Ｓ４００）、シンボルパターン及びシンボルパターン適用周波数帯域パターンを記憶する。
【００９８】
そして、端末装置１００は、ＵＲＬＬＣデータ以外の送信データが発生した時、ＳＲを基地局装置２００に送信する（Ｓ４０１）。
【００９９】
基地局装置２００は、ＳＲを受信すると（Ｓ４０１）、端末装置１００に無線リソースを割り当て、ＵＬ grantを端末装置１００に送信する（Ｓ４０２）。ＵＬ grantは、端末装置１００に割り当てた無線リソースの情報を含む。無線リソースの情報は、例えば、端末装置１００がデータ（ＵＲＬＬＣデータ以外）送信に使用することが許可された周波数帯域に関する情報も含む。基地局装置２００は、例えば、シンボルパターンを適用しない周波数帯域Ｘ（Ｘは整数）を端末装置１００に割り当て、ＵＬ grantで端末装置１００に通知する（Ｓ４０２）。
【０１００】
端末装置１００は、ＵＬ grantを受信し（Ｓ４０２）、周波数帯域Ｘが割り当てられたことを認識する。端末装置１００は、記憶するシンボルパターン適用周波数帯域パターンを参照し、周波数帯域Ｘがシンボルパターン適用周波数帯域に属するか否かを確認する。端末装置１００は、周波数帯域Ｘがシンボルパターンを適用しない周波数帯域であることを認識し、周波数帯域Ｘの割当スロットの全ＯＦＤＭシンボルを使用して、データを送信する（Ｓ４０３）。
【０１０１】
また、端末装置１００は、ＵＲＬＬＣデータ以外の送信データが発生した時、ＳＲを基地局装置２００に送信する（Ｓ４０４）。
【０１０２】
基地局装置２００は、ＳＲを受信すると（Ｓ４０４）、端末装置１００に無線リソースを割り当て、ＵＬ grantを端末装置１００に送信する（Ｓ４０５）。基地局装置２００は、例えば、シンボルパターンを適用する周波数帯域Ｙ（Ｙは整数）を端末装置１００に割り当て、ＵＬ grantで端末装置１００に通知する（Ｓ４０５）。
【０１０３】
端末装置１００は、ＵＬ grantを受信し（Ｓ４０５）、周波数帯域Ｙが割り当てられたことを認識する。端末装置１００は、記憶するシンボルパターン適用周波数帯域パターンを参照し、周波数帯域Ｙがシンボルパターン適用周波数帯域に属するか否かを確認する。端末装置１００は、周波数帯域Ｙがシンボルパターンを適用する周波数帯域であることを認識し、周波数帯域Ｙの割当スロットの、シンボルパターンでＵＲＬＬＣデータ以外のデータの送信が許可されたＯＦＤＭシンボルを使用して、データを送信する（Ｓ４０６）。
【０１０４】
第３の実施の形態において、基地局装置２００は、シンボルパターンに加え、さらにシンボルパターン適用周波数帯域パターンを、端末装置１００に通知する。これにより、基地局装置２００は、周波数帯域ごとにシンボルパターンの適用または非適用を設定でき、より柔軟に無線リソースを割り当てることができる。
【０１０５】
［その他の実施の形態］
第１から第３の実施の形態は、それぞれ組み合わせてもよい。基地局装置２００は、例えば、端末装置１００に、複数のシンボルパターンを通知すること、シンボルパターン適用スロットパターンを通知すること、シンボルパターン適用周波数帯域パターンを通知すること、及びシンボルパターンの各ビットを複数ＯＦＤＭシンボルに対応させること、それぞれ又はそれぞれの組み合わせを実行してもよい。
【０１０６】
また、各実施の形態において、シンボルパターンの数、１スロットに含まれるＯＦＤＭシンボル数、１フレームに含まれるスロット数、及び周波数帯域の分割数は、あくまで一例であり、実施の形態に限定されるものではない。また、シンボルパターン、シンボルパターン適用スロットパターン、及びシンボルパターン適用周波数帯域パターンは、１スロットに含まれるＯＦＤＭシンボル数、１フレームに含まれるスロット数、及び周波数帯域の分割数などに応じて、ビット数が決定される。さらに、シンボルパターン適用フラグは、シンボルパターンの数に応じて、ビット数が決定される。
【符号の説明】
【０１０７】
１００      ：端末装置
１００−１  ：端末装置
１００−２  ：端末装置
１１０      ：ＣＰＵ
１２０      ：ストレージ
１２１      ：通信プログラム
１２２      ：ＯＦＤＭシンボル情報通知受信プログラム
１２３      ：データ送信プログラム
１３０      ：メモリ
１５０      ：ＲＦ回路
１５１      ：アンテナ
２００      ：基地局装置
２１０      ：ＣＰＵ
２２０      ：ストレージ
２２１      ：通信制御プログラム
２２２      ：無線リソース制御プログラム
２３０      ：メモリ
２５０      ：ＲＦ回路
２５１      ：アンテナ
２２２１    ：ＯＦＤＭシンボル情報通知モジュール
２２２２    ：シンボルパターン適用判定モジュール
【図１】
2020202301.tif 000003
【図２】
2020202301.tif 000004
【図３】
2020202301.tif 000005
【図４】
2020202301.tif 000006
【図５】
2020202301.tif 000007
【図６】
2020202301.tif 000008
【図７】
2020202301.tif 000009
【図８】
2020202301.tif 000010
【図９】
2020202301.tif 000011
【図１０】
2020202301.tif 000012
【図１１】
2020202301.tif 000013
【図１２】
2020202301.tif 000014
【図１３】
2020202301.tif 000015
【図１４】
2020202301.tif 000016
【図１５】
2020202301.tif 000017
【図１６】
2020202301.tif 000018
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
第１データの送信用として割り当てられた第１無線リソース以外の無線リソースを、前記第１データ以外の第２データの送信用の第２無線リソースとして割り当てる制御部と、
前記第２無線リソースに関する情報を含む無線リソース情報を端末装置に通知する通知部と、を有する
基地局装置。
【請求項２】
前記制御部は、前記第１無線リソース以外の無線リソースを前記第１無線リソースと同じ周波数領域内に割り当てる
請求項１に記載の基地局装置。
【請求項３】
前記制御部は、前記端末装置から前記第２データを送信する無線リソースの割り当てを要求されたとき、前記第２無線リソースを適用するか否かを判定し、
前記通知は、前記判定した結果を前記端末装置に通知する
請求項１記載の基地局装置。
【請求項４】
前記第１無線リソースは、前記第１データの送信用として割り当てられた、スロット内のＯＦＤＭ（Orthogonal Frequency-Division Multiplexing）シンボルであって、
前記第２無線リソースは、前記第１無線リソースとして割り当てられたＯＦＤＭシンボル以外の、スロット内のＯＦＤＭシンボルである
請求項１記載の基地局装置。
【請求項５】
前記無線リソース情報は、さらに、前記第２無線リソースが適用される、フレーム内のスロット番号に関する情報を含む
請求項４記載の基地局装置。
【請求項６】
前記無線リソース情報は、さらに、前記第２無線リソースが適用される、周波数帯域に関する情報を含む
請求項４記載の基地局装置。
【請求項７】
前記無線リソース情報は、前記第２無線リソースと割り当てられたＯＦＤＭシンボルのスロット内の位置を示す情報である
請求項４記載の基地局装置。
【請求項８】
基地局装置から、第１データの送信用として割り当てられた第１無線リソース以外の無線リソースであって、前記第１データ以外の第２データの送信用の無線リソースとして割り当てられた第２無線リソースに関する情報を含む無線リソース情報を受信して、記憶する受信部と、
前記記憶する無線リソース情報に含まれる前記第２無線リソースを使用して、前記第２データを送信する送信部と、を有する
端末装置。
【請求項９】
基地局装置と端末装置を有する通信システムであって、
前記基地局装置は、第１データの送信用として割り当てられた第１無線リソース以外の無線リソースを、前記第１データ以外の第２データの送信用の第２無線リソースとして割り当て、前記第２無線リソースに関する情報を含む無線リソース情報を前記端末装置に通知し、
前記端末装置は、前記通知された無線リソース情報を受信し、記憶し、前記第２データを送信するとき、前記記憶する無線リソース情報に含まれる前記第２無線リソースを使用して送信する
通信システム。
【国際調査報告】
2020202301.tif 000019
2020202301.tif 000020
2020202301.tif 000021